(57)【要約】  本開示の態様は、ワイヤレス通信に関し、より詳細には、スタンドアロンロングタームエボリューション（ＬＴＥ（登録商標））ブロードキャストのための同期に関する。一態様では、ユーザ機器（ＵＥ）などのワイヤレスデバイスによって実行され得る方法が提供される。本方法は、概して、第１の周期性において発生するアンカーサブフレーム内で、第１のタイプの同期信号を監視することと、アンカーサブフレーム間で発生するようにスケジュールされた１つまたは複数のユニキャストサブフレームの指示を取得することと、アンカーサブフレーム間で発生するようにスケジュールされた１つまたは複数のブロードキャストサブフレームの指示を取得することと。
2019507991.tif 000002
【特許請求の範囲】
【請求項１】
ユーザ機器（ＵＥ）によるワイヤレス通信のための方法であって、
第１の周期性において発生するアンカーサブフレーム内で、第１のタイプの同期信号を監視することと、
アンカーサブフレーム間で発生するようにスケジュールされた１つまたは複数のユニキャストサブフレームの指示を取得することと、
アンカーサブフレーム間で発生するようにスケジュールされた１つまたは複数のブロードキャストサブフレームの指示を取得することと
を備える、方法。
【請求項２】
前記第１の周期性が無線フレーム周期性の倍数に対応する、請求項１に記載の方法。
【請求項３】
前記ユニキャストサブフレームのうちの少なくとも１つ中で同期信号を監視すること
をさらに備える、請求項１に記載の方法。
【請求項４】
複数のユニキャストサブフレーム中で受信された同期信号を組み合わせることをさらに備える、請求項３に記載の方法。
【請求項５】
前記ユニキャストサブフレーム中の、監視された前記同期信号が、前記第１のタイプとは異なる第２のタイプのものである、請求項３に記載の方法。
【請求項６】
前記１つまたは複数のブロードキャストサブフレーム中での送信が、前記アンカーサブフレームまたは前記ユニキャストサブフレームのうちの少なくとも１つ中での送信よりも長いサイクリックプレフィックス（ＣＰ）を有する、請求項１に記載の方法。
【請求項７】
前記ユニキャストサブフレームのうちのどれがダウンリンク送信のためのものであり、どれがアップリンク送信のためのものであるかの指示を取得することをさらに備える、請求項１に記載の方法。
【請求項８】
前記アンカーサブフレームのうちの１つまたは複数内で物理ブロードキャストチャネル（ＰＢＣＨ）を受信することをさらに備える、請求項１に記載の方法。
【請求項９】
前記アンカーサブフレームのうちの１つまたは複数、または
前記ユニキャストサブフレームのうちの１つまたは複数
のうちの少なくとも１つ内でシステム情報ブロック（ＳＩＢ）情報を受信することをさらに備える、請求項１に記載の方法。
【請求項１０】
前記アンカーサブフレームのうちの１つまたは複数、または
前記ユニキャストサブフレームのうちの１つまたは複数
のうちの少なくとも１つ内でユニキャスト物理ダウンリンク共有チャネル（ＰＤＳＣＨ）データを受信することをさらに備える、請求項１に記載の方法。
【請求項１１】
前記アンカーサブフレームまたは前記１つまたは複数のユニキャストサブフレームのうちの少なくとも１つが、
レガシーｅＭＢＭＳブロードキャスト信号、
単一セルポイントツーマルチポイント（ＳＣ−ＰＴＭ）信号、または
ニューキャリアタイプ（ＮＣＴ）
のうちの少なくとも１つを備える、請求項１に記載の方法。
【請求項１２】
前記アンカーサブフレームは、前記ＵＥが、前記１つまたは複数のユニキャストサブフレームと前記１つまたは複数のブロードキャストサブフレームとを受信するための情報を備える、請求項１に記載の方法。
【請求項１３】
前記ＵＥが、前記１つまたは複数のユニキャストサブフレームと前記１つまたは複数のブロードキャストサブフレームとを受信するための前記情報は、システム帯域幅、システムフレーム番号、前記１つまたは複数のユニキャストサブフレームのためのサブフレームパターン、または前記１つまたは複数のブロードキャストサブフレームのためのサブフレームパターンのうちの少なくとも１つを備える、請求項１２に記載の方法。
【請求項１４】
ユーザ機器（ＵＥ）によるワイヤレス通信のための装置であって、
第１の周期性において発生するアンカーサブフレーム内で、第１のタイプの同期信号を監視することと、
アンカーサブフレーム間で発生するようにスケジュールされた１つまたは複数のユニキャストサブフレームの指示を取得することと、
アンカーサブフレーム間で発生するようにスケジュールされた１つまたは複数のブロードキャストサブフレームの指示を取得することと
を行うように構成された少なくとも１つのプロセッサと、
前記少なくとも１つのプロセッサと結合されたメモリと
を備える、装置。
【請求項１５】
前記第１の周期性が無線フレーム周期性の倍数に対応する、請求項１４に記載の装置。
【請求項１６】
前記少なくとも１のプロセッサが、前記ユニキャストサブフレームのうちの少なくとも１つ中で同期信号を監視するようにさらに構成された、請求項１４に記載の装置。
【請求項１７】
前記少なくとも１のプロセッサが、複数のユニキャストサブフレーム中で受信された同期信号を組み合わせるようにさらに構成された、請求項１６に記載の装置。
【請求項１８】
前記ユニキャストサブフレーム中の、監視された前記同期信号が、前記第１のタイプとは異なる第２のタイプのものである、請求項１６に記載の装置。
【請求項１９】
前記１つまたは複数のブロードキャストサブフレーム中での送信が、前記アンカーサブフレームまたは前記ユニキャストサブフレームのうちの少なくとも１つ中での送信よりも長いサイクリックプレフィックス（ＣＰ）を有する、請求項１４に記載の装置。
【請求項２０】
前記少なくとも１つのプロセッサは、前記ユニキャストサブフレームのうちのどれがダウンリンク送信のためのものであり、どれがアップリンク送信のためのものであるかの指示を取得するようにさらに構成された、請求項１４に記載の装置。
【請求項２１】
前記少なくとも１つのプロセッサが、前記アンカーサブフレームのうちの１つまたは複数内で物理ブロードキャストチャネル（ＰＢＣＨ）を受信するようにさらに構成された、請求項１４に記載の装置。
【請求項２２】
前記少なくとも１つのプロセッサが、
前記アンカーサブフレームのうちの１つまたは複数、または
前記ユニキャストサブフレームのうちの１つまたは複数
のうちの少なくとも１つ内でシステム情報ブロック（ＳＩＢ）情報を受信するようにさらに構成された、請求項１４に記載の装置。
【請求項２３】
前記少なくとも１つのプロセッサが、
前記アンカーサブフレームのうちの１つまたは複数、または
前記ユニキャストサブフレームのうちの１つまたは複数
のうちの少なくとも１つ内でユニキャスト物理ダウンリンク共有チャネル（ＰＤＳＣＨ）データを受信するようにさらに構成された、請求項１４に記載の装置。
【請求項２４】
前記アンカーサブフレームまたは前記１つまたは複数のユニキャストサブフレームのうちの少なくとも１つが、
レガシーｅＭＢＭＳブロードキャスト信号、
単一セルポイントツーマルチポイント（ＳＣ−ＰＴＭ）信号、または
ニューキャリアタイプ（ＮＣＴ）
のうちの少なくとも１つを備える、請求項１４に記載の装置。
【請求項２５】
前記アンカーサブフレームは、前記ＵＥが、前記１つまたは複数のユニキャストサブフレームと前記１つまたは複数のブロードキャストサブフレームとを受信するための情報を備える、請求項１４に記載の装置。
【請求項２６】
前記ＵＥが、前記１つまたは複数のユニキャストサブフレームと前記１つまたは複数のブロードキャストサブフレームとを受信するための前記情報は、システム帯域幅、システムフレーム番号、前記１つまたは複数のユニキャストサブフレームのためのサブフレームパターン、または前記１つまたは複数のブロードキャストサブフレームのためのサブフレームパターンのうちの少なくとも１つを備える、請求項２５に記載の装置。
【請求項２７】
ユーザ機器（ＵＥ）によるワイヤレス通信のための装置であって、
第１の周期性において発生するアンカーサブフレーム内で、第１のタイプの同期信号を監視するための手段と、
アンカーサブフレーム間で発生するようにスケジュールされた１つまたは複数のユニキャストサブフレームの指示を取得するための手段と、
アンカーサブフレーム間で発生するようにスケジュールされた１つまたは複数のブロードキャストサブフレームの指示を取得するための手段と
を備える、装置。
【請求項２８】
ユーザ機器（ＵＥ）によるワイヤレス通信のための非一時的コンピュータ可読媒体であって、
第１の周期性において発生するアンカーサブフレーム内で、第１のタイプの同期信号を監視することと、
ｆｓ間で発生するようにスケジュールされた１つまたは複数のユニキャストサブフレームの指示を取得することと、
アンカーサブフレーム間で発生するようにスケジュールされた１つまたは複数のブロードキャストサブフレームの指示を取得することと
を行うための命令を備える、非一時的コンピュータ可読媒体。
【発明の詳細な説明】
【技術分野】
【０００１】
米国特許法第１１９条に基づく優先権の主張
[0001]本出願は、それらの全体が両方とも参照により本明細書に組み込まれる、２０１６年３月７日に出願された米国仮特許出願第６２／３０４，９０６号の利益を主張する、２０１７年１月４日に出願された米国出願第１５／３９８，５１５号の優先権を主張する。
【０００２】
[0002]本開示のいくつかの態様は、一般にワイヤレス通信に関し、より詳細には、スタンドアロンロングタームエボリューション（ＬＴＥ（登録商標）：Long Term Evolution）ブロードキャストのための同期に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ）／ＬＴＥアドバンストシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【発明の概要】
【０００６】
[0006]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００７】
[0007]本開示のいくつかの態様は、基地局（ＢＳ）などのワイヤレスノードによって実行されるワイヤレス通信のための方法を提供する。本方法は、概して、第１の周期性において発生するアンカーサブフレーム内で、第１のタイプの同期信号を送信することと、アンカーサブフレーム間で発生するようにスケジュールされた１つまたは複数のユニキャストサブフレームの指示を与えることと、アンカーサブフレーム間で発生するようにスケジュールされた１つまたは複数のブロードキャストサブフレームの指示を与えることとを含む。
【０００８】
[0008]本開示のいくつかの態様は、基地局（ＢＳ）などのワイヤレスノードによって実行されるワイヤレス通信のための装置を提供する。本装置は、概して、第１の周期性において発生するアンカーサブフレーム内で、第１のタイプの同期信号を送信することと、アンカーサブフレーム間で発生するようにスケジュールされた１つまたは複数のユニキャストサブフレームの指示を与えることと、アンカーサブフレーム間で発生するようにスケジュールされた１つまたは複数のブロードキャストサブフレームの指示を与えることとを行うように構成された少なくとも１つのプロセッサを含む。本装置は、概して、少なくとも１つのプロセッサと結合されたメモリをも含む。
【０００９】
[0009]本開示のいくつかの態様は、基地局（ＢＳ）などのワイヤレスノードによって実行されるワイヤレス通信のための装置を提供する。本装置は、概して、第１の周期性において発生するアンカーサブフレーム内で、第１のタイプの同期信号を送信するための手段と、アンカーサブフレーム間で発生するようにスケジュールされた１つまたは複数のユニキャストサブフレームの指示を与えるための手段と、アンカーサブフレーム間で発生するようにスケジュールされた１つまたは複数のブロードキャストサブフレームの指示を与えるための手段とを含む。
【００１０】
[0010]本開示のいくつかの態様は、基地局（ＢＳ）などのワイヤレスノードによって実行されるワイヤレス通信のための非一時的コンピュータ可読媒体を提供する。本非一時的コンピュータ可読媒体は、概して、第１の周期性において発生するアンカーサブフレーム内で、第１のタイプの同期信号を送信することと、アンカーサブフレーム間で発生するようにスケジュールされた１つまたは複数のユニキャストサブフレームの指示を与えることと、アンカーサブフレーム間で発生するようにスケジュールされた１つまたは複数のブロードキャストサブフレームの指示を与えることとを行うための命令を含む。
【００１１】
[0011]本開示のいくつかの態様は、ユーザ機器（ＵＥ）などのワイヤレスノードによって実行されるワイヤレス通信のための方法を提供する。本方法は、概して、第１の周期性において発生するアンカーサブフレーム内で、第１のタイプの同期信号を監視することと、アンカーサブフレーム間で発生するようにスケジュールされた１つまたは複数のユニキャストサブフレームの指示を取得することと、アンカーサブフレーム間で発生するようにスケジュールされた１つまたは複数のブロードキャストサブフレームの指示を取得することとを含む。
【００１２】
[0012]本開示のいくつかの態様は、ユーザ機器（ＵＥ）などのワイヤレスノードによって実行されるワイヤレス通信のための装置を提供する。本装置は、概して、第１の周期性において発生するアンカーサブフレーム内で、第１のタイプの同期信号を監視することと、アンカーサブフレーム間で発生するようにスケジュールされた１つまたは複数のユニキャストサブフレームの指示を取得することと、アンカーサブフレーム間で発生するようにスケジュールされた１つまたは複数のブロードキャストサブフレームの指示を取得することとを行うように構成された少なくとも１つのプロセッサを含む。本装置は、概して、少なくとも１つのプロセッサと結合されたメモリをも含む。
【００１３】
[0013]本開示のいくつかの態様は、ユーザ機器（ＵＥ）などのワイヤレスノードによって実行されるワイヤレス通信のための装置を提供する。本装置は、概して、第１の周期性において発生するアンカーサブフレーム内で、第１のタイプの同期信号を監視する手段と、アンカーサブフレーム間で発生するようにスケジュールされた１つまたは複数のユニキャストサブフレームの指示を取得するための手段と、アンカーサブフレーム間で発生するようにスケジュールされた１つまたは複数のブロードキャストサブフレームの指示を取得するための手段とを含む。
【００１４】
[0014]本開示のいくつかの態様は、ユーザ機器（ＵＥ）などのワイヤレスノードによって実行されるワイヤレス通信のための非一時的コンピュータ可読媒体を提供する。本非一時的コンピュータ可読媒体は、概して、第１の周期性において発生するアンカーサブフレーム内で、第１のタイプの同期信号を監視することと、アンカーサブフレーム間で発生するようにスケジュールされた１つまたは複数のユニキャストサブフレームの指示を取得することと、アンカーサブフレーム間で発生するようにスケジュールされた１つまたは複数のブロードキャストサブフレームの指示を取得することとを行うための命令を含む。
【００１５】
[0015]本発明の特定の例示的な態様の以下の説明を添付の図と併せて検討すれば、当業者には、本発明の他の態様、特徴、および実施形態が明らかになろう。本開示の特徴が、以下のいくつかの態様および図に関連して説明され得るが、本開示のすべての実施形態は、本明細書で説明される有利な特徴のうちの１つまたは複数を含むことができる。言い換えれば、１つまたは複数の態様が、いくつかの有利な特徴を有するものとして説明され得るが、そのような特徴のうちの１つまたは複数は、本明細書で説明される本開示の様々な態様に従っても使用され得る。同様に、例示的な態様が、以下ではデバイス、システム、または方法の態様として説明され得るが、そのような例示的な態様は、様々なデバイス、システム、および方法で実装され得ることを理解されたい
[0016]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではない。
【図面の簡単な説明】
【００１６】
【図１】[0017]本開示のいくつかの態様による、ワイヤレス通信ネットワークの一例を概念的に示すブロック図。
【図２】[0018]本開示のいくつかの態様による、ワイヤレス通信ネットワークにおいてユーザ機器（ＵＥ）と通信している基地局の一例を概念的に示すブロック図。
【図３】[0019]本開示のいくつかの態様による、ワイヤレス通信ネットワークにおけるフレーム構造の一例を概念的に示すブロック図。
【図４】[0020]ノーマルサイクリックプレフィックスをもつ２つの例示的なサブフレームフォーマットを概念的に示すブロック図
【図５】[0021]本開示のいくつかの態様による、ワイヤレスデバイスにおいて利用され得る様々な構成要素を示す図。
【図６】[0022]本開示のいくつかの態様による、基地局（ＢＳ）による、ワイヤレス通信のための例示的な動作を示す流れ図。
【図７】[0023]本開示のいくつかの態様による、ユーザ機器（ＵＥ）による、ワイヤレス通信のための例示的な動作を示す流れ図。
【図８】[0024]本開示のいくつかの態様による、ＬＴＥスタンドアロンブロードキャストのための例示的なタイムラインを示す図。
【発明を実施するための形態】
【００１７】
[0025]理解を容易にするために、可能な場合、各図に共通である同じ要素を指定するために同じ参照番号が使用されている。一実施形態において開示される要素が、特定の具陳なしに他の実施形態に対して有益に利用され得ることが企図される。
【００１８】
[0026]本開示のいくつかの態様は、一般にワイヤレス通信に関し、より詳細には、スタンドアロンロングタームエボリューション（ＬＴＥ）ブロードキャストのための同期に関する。いくつかの態様によれば、ＬＴＥブロードキャストシステムは、１次同期信号（ＰＳＳ）と２次同期信号（ＳＳＳ）とに基づく同期能力をなくす。ＬＴＥブロードキャストシステムにおけるＰＳＳおよびＳＳＳの欠如により、同期問題が存在し得る。したがって、本開示の態様は、同期信号の欠如によるスタンドアロンＬＴＥブロードキャストシステムにおける同期に関する問題を緩和するための技法を提供する。
【００１９】
[0027]たとえば、本開示の態様は、スタンドアロンＬＴＥブロードキャストシステムにおける同期を支援するための技法を提案する。たとえば、これは、ＬＴＥブロードキャストチャネルを同期させるのを援助するためにレガシーＬＴＥ  ＰＳＳ／ＳＳＳの使用を可能にするブロードキャスト送信内のサブフレームの低周期性ユニキャストバーストを時分割多重化（ＴＤＭ）することを伴い得る。態様によれば、これらのユニキャストサブフレームは、低い周期性を用いて基地局によって、時々送信され得、ＰＳＳ／ＳＳＳと物理ブロードキャストチャネル（ＰＢＣＨ）同期信号とを備え得る。いくつかの態様によれば、この技法は、トラフィックの大部分がＬＴＥブロードキャスト送信のままであることを可能にするが、より遅いチャネル同期時間という犠牲を払う。ユーザ機器（ＵＥ）は、ＰＳＳ／ＳＳＳ／ＰＢＣＨを受信し、それに応じて動作を同期させ得る。
【００２０】
[0028]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ：evolved UTRA）、ウルトラモバイルブロードバンド（ＵＭＢ：ultra mobile broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：universal mobile telecommunication system）の一部である。周波数分割複信（ＦＤＤ）と時分割複信（ＴＤＤ）の両方における３ＧＰＰロングタームエボリューション（ＬＴＥ）およびＬＴＥアドバンスト（ＬＴＥ−Ａ）は、ダウンリンク上ではＯＦＤＭＡを採用し、アップリンク上ではＳＣ−ＦＤＭＡを採用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下ではＬＴＥ／ＬＴＥアドバンストに関して説明され、以下の説明の大部分でＬＴＥ／ＬＴＥアドバンスト用語が使用される。ＬＴＥおよびＬＴＥ−Ａは、一般にＬＴＥと呼ばれる。
【００２１】
[0029]ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブック、医療デバイスまたは機器、生体センサー／デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽またはビデオデバイス、あるいは衛星無線）、車両用部品またはセンサー、スマートメーター／センサー、工業用製造装置、全地球測位システムデバイス、あるいはワイヤレスまたはワイヤード媒体を介して通信するように構成された他の好適なデバイスがあり得る。いくつかのＵＥは、発展型または拡張マシンタイプ通信（ｅＭＴＣ）ＵＥと見なされ得る。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなど、ロボット、ドローン、リモートデバイスを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２２】
[0030]本明細書では、３Ｇおよび／または４Ｇのワイヤレス技術に一般に関連する用語を使用して態様が説明され得るが、本開示の態様は、５Ｇ以降など、他の世代ベースの通信システムにおいて適用され得ることに留意されたい。
例示的なワイヤレス通信ネットワーク
[0031]図１は、本開示の態様が実施され得る例示的なワイヤレス通信ネットワーク１００を示す。本明細書で提示される技法は、いくつかの態様による、ロングタームエボリューション（ＬＴＥ）ブロードキャストシステムにおける同期信号の送信／受信のために使用され得る。たとえば、ｅＮＢ１１０は、第１の周期性において発生するアンカーサブフレーム内で、第１のタイプの同期信号を送信し、アンカーサブフレーム間で発生するようにスケジュールされた１つまたは複数のユニキャストサブフレームの指示を与え、アンカーサブフレーム間で発生するようにスケジュールされた１つまたは複数のブロードキャストサブフレームの指示を与え得る。ユーザ機器（ＵＥ）１２０は、第１の周期性において発生するアンカーサブフレーム内で、第１のタイプの同期信号を監視し、アンカーサブフレーム間で発生するようにスケジュールされた１つまたは複数のユニキャストサブフレームの指示を取得し、アンカーサブフレーム間で発生するようにスケジュールされた１つまたは複数のブロードキャストサブフレームの指示を取得し得る。ＵＥは、次いで、以下でより詳細に説明されるように、取得された指示に基づいて、１つまたは複数のユニキャストサブフレームと１つまたは複数のブロードキャストサブフレームとを受信し、それに応じて、ＵＥの動作をネットワークに同期させ得る。
【００２３】
[0032]態様によれば、ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは１つまたは複数の（たとえば、３つの）セルをサポートし得る。「ｅＮＢ」、「基地局」および「セル」という用語は、本明細書では互換的に使用され得る。
【００２４】
[0033]ワイヤレス通信ネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００２５】
[0034]ワイヤレス通信ネットワーク１００は、異なるタイプのｅＮＢ、たとえば、マクロｅＮＢ、ピコｅＮＢ、フェムトｅＮＢ、リレーｅＮＢなどを含む、異種ネットワークであり得る。これらの異なるタイプのｅＮＢは、異なる送信電力レベル、異なるカバレージエリア、およびワイヤレス通信ネットワーク１００における干渉に対する異なる影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００２６】
[0035]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００２７】
[0036]ＵＥ１２０（たとえば、１２０ａ、１２０ｂ、１２０ｃ）は、ワイヤレス通信ネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブックなどであり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００２８】
[0037]図２は、図１中の基地局／ｅＮＢのうちの１つであり得る基地局／ｅＮＢ１１０および図１中のＵＥのうちの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００２９】
[0038]基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログ変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００３０】
[0039]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、ＲＳＲＰ、ＲＳＳＩ、ＲＳＲＱ、ＣＱＩなどを決定し得る。
【００３１】
[0040]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３２】
[0041]コントローラ／プロセッサ２４０および２８０は、ＵＥ（たとえば、ｅＭＴＣ  ＵＥ）と基地局（たとえば、ｅノードＢ）との間の通信のために使用するための拡張マシンタイプ通信（ｅＭＴＣ）のための狭帯域領域を定義するための本明細書で提示される技法を実行するために、それぞれ、基地局１１０およびＵＥ１２０における動作を指示し得る。たとえば、基地局１１０におけるプロセッサ２４０および／または他のプロセッサおよびモジュール、ならびにＵＥ１２０におけるプロセッサ２８０および／または他のプロセッサおよびモジュールは、それぞれ、基地局１１０およびＵＥ１２０の動作を実行または指示し得る。たとえば、ＵＥ１２０におけるコントローラ／プロセッサ２８０および／または他のコントローラ／プロセッサおよびモジュール、ならびにＢＳ１１０におけるコントローラ／プロセッサ２４０および／または他のコントローラ／プロセッサおよびモジュールは、それぞれ、図６および図７に示されている動作６００および７００を実行または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００３３】
[0042]図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスが割り当てられ得る。
【００３４】
[0043]ＬＴＥでは、ｅＮＢは、ｅＮＢによってサポートされるセルごとにシステム帯域幅の中心においてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および収集のためにＵＥによって使用され得る。ｅＮＢは、ｅＮＢによってサポートされる各セルについてシステム帯域幅にわたってセル固有基準信号（ＣＲＳ：cell-specific reference signal）を送信し得る。ＣＲＳは、各サブフレームのいくつかのシンボル期間中で送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中で、物理ダウンリンク制御チャネル（ＰＤＣＣＨ）上で制御情報／データを送信し得、ここで、Ｂは各サブフレームについて構成可能であり得る。ｅＮＢは、各サブフレームの残りのシンボル期間中で、ＰＤＳＣＨ上でトラフィックデータおよび／または他のデータを送信し得る。
【００３５】
[0044]図４は、ノーマルサイクリックプレフィックスをもつ２つの例示的なサブフレームフォーマット４１０および４２０を示す。利用可能な時間周波数リソースはリソースブロックに区分され得る。各リソースブロックは、１つのスロット中の１２個のサブキャリアをカバーし得、いくつかのリソース要素を含み得る。各リソース要素は、１つのシンボル期間中に１つのサブキャリアをカバーし得、実数値または複素数値であり得る１つの変調シンボルを送るために使用され得る。
【００３６】
[0045]サブフレームフォーマット４１０は、２つのアンテナのために使用され得る。ＣＲＳは、シンボル期間０、４、７および１１中にアンテナ０および１から送信され得る。基準信号は、送信機および受信機によってアプリオリに知られている信号であり、パイロットと呼ばれることもある。ＣＲＳは、たとえば、セル識別情報（ＩＤ）に基づいて生成される、セルに固有である基準信号である。図４では、ラベルＲａをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナとともに使用され得る。ＣＲＳは、シンボル期間０、４、７および１１中でアンテナ０および１から送信され、シンボル期間１および８中でアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。ＣＲＳは、それらのセルＩＤに応じて、同じまたは異なるサブキャリア上で送信され得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００３７】
[0046]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００３８】
[0047]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００３９】
[0048]ワイヤレスネットワークは、ダウンリンクおよびアップリンク上でのデータ送信のためにハイブリッド自動再送要求（ＨＡＲＱ）をサポートし得る。ＨＡＲＱの場合、送信機（たとえば、ｅＮＢ）は、パケットが受信機（たとえば、ＵＥ）によって正確に復号されるか、または何らかの他の終了条件が遭遇されるまで、パケットの１つまたは複数の送信を送り得る。同期ＨＡＲＱの場合、パケットのすべての送信が単一のインターレースのサブフレーム中で送られ得る。非同期ＨＡＲＱの場合、パケットの各送信は任意のサブフレーム中で送られ得る。
【００４０】
[0049]ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ）、または何らかの他のメトリックによって定量化され得る。ＵＥは、ＵＥが１つまたは複数の干渉ｅＮＢからの高い干渉を観測し得る支配的干渉シナリオにおいて動作し得る。
【００４１】
[0050]マルチメディアブロードキャスト単一周波数ネットワーク（ＭＢＳＦＮ）中の発展型マルチメディアブロードキャストおよびマルチキャストサービス（ｅＭＢＭＳ）が、ＭＢＳＦＮエリアを形成するためにセル中のｅＮＢによって形成され得る。ｅＮＢは、複数のＭＢＳＦＮエリア、たとえば、最高合計８つのＭＢＳＦＮエリアに関連付けられ得る。ＭＢＳＦＮエリア中の各ｅＮＢは、同じｅＭＢＭＳ制御情報およびデータを同期的に送信する。
【００４２】
[0051]各エリアは、ブロードキャストサービスと、マルチキャストサービスと、ユニキャストサービスとをサポートし得る。ユニキャストサービスは、特定のユーザを対象とするサービス、たとえば、ボイス呼である。マルチキャストサービスは、ユーザのグループによって受信され得るサービス、たとえば、サブスクリプションビデオサービスである。ブロードキャストサービスは、すべてのユーザによって受信され得るサービス、たとえば、ニュース放送である。したがって、第１のＭＢＳＦＮエリアは、特定のニュースブロードキャストをＵＥに与えることによってなど、第１のｅＭＢＭＳブロードキャストサービスをサポートし得、第２のＭＢＳＦＮエリアは、異なるニュースブロードキャストを第２のＵＥに与えることによってなど、第２のｅＭＢＭＳブロードキャストサービスをサポートし得る。
【００４３】
[0052]各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。ＭＢＳＦＮ情報を搬送するように構成されたサブフレームは、セルのダイバーシティモードに応じて異なることがある。概して、ＭＢＳＦＮは、ＵＥへのＤＬのためにのみ利用可能なサブフレームとスペシャルサブフレームとを除くすべてのサブフレーム中で搬送され得る。たとえば、セルがＦＤＤのために構成された場合、ＭＢＳＦＮは、０、４、５、および９を除くすべてのサブフレーム中で構成され得る。ＴＤＤ動作の場合、ＭＢＳＦＮは、０、１、５、および６を除くすべてのサブフレーム中で構成され得る。
【００４４】
[0053]図５は、図１に示されたワイヤレス通信ネットワーク１００内で採用され得るワイヤレスデバイス５０２において利用され得る様々な構成要素を示す。ワイヤレスデバイス５０２は、本明細書で説明される様々な方法を実装するように構成され得るデバイスの一例である。ワイヤレスデバイス５０２は、基地局１１０、またはワイヤレスノードのいずれか（たとえば、１２０）であり得る。たとえば、ワイヤレスデバイス５０２は、それぞれ図６および図７で説明される動作６００および／または７００（ならびに本明細書で説明される他の動作）を実行するように構成され得る。
【００４５】
[0054]ワイヤレスデバイス５０２は、ワイヤレスデバイス５０２の動作を制御するプロセッサ５０４を含み得る。プロセッサ５０４は中央処理ユニット（ＣＰＵ）と呼ばれることもある。読取り専用メモリ（ＲＯＭ）とランダムアクセスメモリ（ＲＡＭ）の両方を含み得るメモリ５０６は、命令とデータとをプロセッサ５０４に与える。メモリ５０６の一部分は不揮発性ランダムアクセスメモリ（ＮＶＲＡＭ）をも含み得る。プロセッサ５０４は、一般に、メモリ５０６内に記憶されたプログラム命令に基づいて論理演算および算術演算を実行する。メモリ５０６中の命令は、本明細書で説明される方法を実装するために、たとえば、ＵＥが接続なし（connectionless）アクセス中に効率的にデータを送信することを可能にするために実行可能であり得る。プロセッサ５０４のいくつかの非限定的な例としては、Ｓｎａｐｄｒａｇｏｎプロセッサ、特定用途向け集積回路（ＡＳＩＣ）、プログラマブル論理などがあり得る。
【００４６】
[0055]ワイヤレスデバイス５０２は、ワイヤレスデバイス５０２と遠隔ロケーションとの間のデータの送信および受信を可能にするために送信機５１０と受信機５１２とを含み得るハウジング５０８をも含み得る。送信機５１０と受信機５１２とは組み合わせられてトランシーバ５１４になり得る。単一の送信アンテナまたは複数の送信アンテナ５１６が、ハウジング５０８に取り付けられ、トランシーバ５１４に電気的に結合され得る。ワイヤレスデバイス５０２は、複数の送信機と、複数の受信機と、複数のトランシーバとをも含み得る（図示せず）。ワイヤレスデバイス５０２は、ワイヤレスバッテリー充電機器をも含むことができる。
【００４７】
[0056]ワイヤレスデバイス５０２は、トランシーバ５１４によって受信された信号のレベルを検出し、定量化するために使用され得る信号検出器５１８をも含み得る。信号検出器５１８は、そのような信号を、総エネルギー、シンボルごとのサブキャリア当たりのエネルギー、電力スペクトル密度および他の信号として検出し得る。ワイヤレスデバイス３０２は、信号を処理する際に使用するためのデジタル信号プロセッサ（ＤＳＰ）５２０をも含み得る。
【００４８】
[0057]ワイヤレスデバイス５０２の様々な構成要素は、データバスに加えて、電力バスと、制御信号バスと、ステータス信号バスとを含み得る、バスシステム５２２によって互いに結合され得る。プロセッサ５０４は、以下で説明される本開示の態様に従って、接続なしアクセスを実行するようにとの、メモリ５０６に記憶された命令にアクセスするように構成され得る。
スタンドアロンＬＴＥブロードキャストのための例示的な同期
[0058]ＬＴＥでは、ＬＴＥマルチメディアブロードキャストマルチキャストサービス（ＭＢＭＳ）データを送信する目的で、キャリアが導入された。さらに、物理ダウンリンク制御チャネル（ＰＤＣＣＨ）を備えず（すなわち、制御チャネルがブロードキャスト専用（Broadcast-only）ＬＴＥサブフレームから削除され）、ユニキャストトラフィックをほとんどまたはまったく備えない（すなわち、サブフレームのすべてまたは大部分がブロードキャスト専用として構成される）、ブロードキャスト専用ＬＴＥサブフレームが、前に定義された。ＬＴＥ  ＭＢＭＳキャリアはスタンドアロンキャリアであり、これは、同期と、チャネルセットアップと、ブロードキャストデータ受信とを含むブロードキャスト機能が、その単一のＭＢＭＳキャリア内で行われなければならないことを意味する。すなわち、ＭＢＭＳキャリアのための同期または制御情報についてのアンカー１次セルからの援助がない。
【００４９】
[0059]現在のｅＭＢＭＳ構造では、同期信号は５ｍｓごとに存在し得る。たとえば、サブフレーム０および５は、１次同期信号（ＰＳＳ）／２次同期信号（ＳＳＳ）が送信され得るように、ユニキャストであることを保証される。しかしながら、ブロードキャスト専用サブフレームへのこれらのサブフレーム（すなわち、ＰＳＳおよびＳＳＳを搬送するサブフレーム０および５）の変換が、ＰＳＳおよびＳＳＳに基づく同期能力をなくす。
【００５０】
[0060]したがって、本開示の態様は、スタンドアロンＬＴＥブロードキャストのための同期信号の欠如によるスタンドアロンＬＴＥブロードキャストシステムにおける同期に関する問題を緩和するための技法を提供する。たとえば、スタンドアロンＬＴＥブロードキャストシステムにおける同期を支援するための１つの潜在的方法は、変更されたＰＳＳ信号およびＳＳＳ信号（たとえば、ＰＳＳbroadcast信号、ＳＳＳbroadcast信号）を生成することであり得る。いくつかの態様によれば、ＰＳＳbroadcast信号、ＳＳＳbroadcast信号は、システム番号（ＳＦＮ）構成におけるブロードキャストサブフレーム内で基地局によって送信され得る（すなわち、複数のセルが同じ同期シーケンスを送信する）。しかしながら、ＰＳＳ／ＳＳＳ信号を変更することに関連する数個の欠点があり得る。たとえば、ＰＳＳbroadcast信号およびＳＳＳbroadcast信号はシグナリングオーバーヘッドを増加させ得、ブロードキャストデータに割り振られるべきであるリソースを消費し得る。さらに、これらの信号はレガシーＰＳＳ／ＳＳＳと同じでないことがある。たとえば、スタンドアロンＬＴＥブロードキャストサブフレームのヌメロロジー（たとえば、シンボルおよびＣＰ持続時間、トーン間隔、パイロット配置）は、レガシーユニキャストとはまったく異なり得る。同期信号の、ブロードキャストバージョンとユニキャストバージョンとの間のこれらの大きい差がある場合、同期受信プロシージャの新しいセットが必要とされ得る。
【００５１】
[0061]スタンドアロンＬＴＥブロードキャストシステムにおける同期を支援するための別の方法は、ＬＴＥブロードキャストチャネルを同期させるのを援助するためにレガシーＬＴＥ  ＰＳＳ／ＳＳＳの使用を可能にするブロードキャスト送信内のサブフレームの低周期性ユニキャストバーストを時分割多重化（ＴＤＭ）することを伴い得る。述べられたように、これらのユニキャストサブフレームは、低い周期性（たとえば、８０ｍｓまたは１６０ｍｓ）を用いて時々送信され得、ＰＳＳ／ＳＳＳと物理ブロードキャストチャネル（ＰＢＣＨ）同期信号とを備え得る。いくつかの態様によれば、この技法は、トラフィックの大部分がＬＴＥブロードキャスト送信のままであることを可能にするが、より遅いチャネル同期時間という犠牲を払う。
【００５２】
[0062]図６は、ワイヤレス通信のための例示的な動作６００を示す。いくつかの態様によれば、動作６００は、たとえば、基地局（たとえば、ｅＮＢ１１０）によって実行され得る。
【００５３】
[0063]動作６００は、６０２において、第１の周期性において発生するアンカーサブフレーム内で、第１のタイプの同期信号を送信することによって開始する。６０４において、基地局は、アンカーサブフレーム間で発生するようにスケジュールされた１つまたは複数のユニキャストサブフレームの指示を与える。６０６において、基地局は、アンカーサブフレーム間で発生するようにスケジュールされた１つまたは複数のブロードキャストサブフレームの指示を与える。
【００５４】
[0064]図７は、ワイヤレス通信のための例示的な動作７００を示す。いくつかの態様によれば、動作７００は、たとえば、ユーザ機器（たとえば、ＵＥ１２０）によって実行され得る。
【００５５】
[0065]動作７００は、７０２において、第１の周期性において発生するアンカーサブフレーム内で、第１のタイプの同期信号を監視することによって開始する。７０４において、ＵＥは、アンカーサブフレーム間で発生するようにスケジュールされた１つまたは複数のユニキャストサブフレームの指示を取得する。７０６において、ＵＥは、アンカーサブフレーム間で発生するようにスケジュールされた１つまたは複数のブロードキャストサブフレームの指示を取得する。いくつかの態様によれば、ＵＥは、たとえば、１つまたは複数のアンテナ２５２を介して両方の指示を取得し得る。図示されてはいないが、動作７００はまた、ＵＥが、１つまたは複数のユニキャストサブフレームと１つまたは複数のブロードキャストサブフレームとを受信することを含み得る。
【００５６】
[0066]上述のように、スタンドアロンＬＴＥブロードキャストシステムにおける同期の問題を緩和するのを助けるために、１つまたは複数のレガシーサブフレームが、チャネル同期の目的で低い周期性を用いて送信され得る。いくつかの態様によれば、これらのレガシーサブフレームは、アンカーサブフレームとして示され得、特定のあらかじめ定義された周期性（たとえば、８０ｍｓまたは１６０ｍｓ）を用いて送信され得る。さらに、（１つまたは複数の）アンカーサブフレームは、（１つまたは複数の）サブフレーム内の知られているシンボル中で基地局によって送信され得る、ＰＳＳ／ＳＳＳ信号を搬送し得る。たとえば、ブロードキャスト同期のためのＰＳＳ／ＳＳＳ信号は、レガシーＰＳＳ／ＳＳＳ信号と同じ割当てを使用し得る。たとえば、周波数分割複信の場合、ＰＳＳは、アンカーサブフレームの第１のスロットの最後のシンボル内の中心の６２個のトーンを占有し得、ＳＳＳは、アンカーサブフレームの第１のスロットの最後から２番目のシンボル内の中心の６２個を占有し得る。さらに、たとえば、時分割複信（ＴＤＤ）の場合、ＰＳＳは、第２のアンカーサブフレームの第１のスロットの第３のシンボル内の中心の６２個のトーンを占有し得、ＳＳＳは、第１のアンカーサブフレームの第２のスロットの最後のシンボル内の中心の６２個を占有し得る。特定のトーン／シンボルロケーションが与えられているが、ＰＳＳ／ＳＳＳトーン／シンボルは、アンカーサブフレーム内のどこにでも配置され得ることを理解されたい。
【００５７】
[0067]いくつかの態様によれば、ＰＢＣＨも、あらかじめ知られているリソース割振りにおいてアンカーサブフレーム内で基地局によって送信され得る。たとえば、ＰＢＣＨは、レガシーＰＢＣＨ（すなわち、非スタンドアロンＬＴＥブロードキャスト）と同様の様式で、たとえば、アンカーサブフレームの第２のスロット内の最初の４つのシンボルの中心の７２個のトーン中で送信され得る。同様に、特定のトーン／シンボルロケーションが与えられているが、ＰＢＣＨトーン／シンボルは、アンカーサブフレーム内のどこにでも配置され得ることを理解されたい。
【００５８】
[0068]さらに、いくつかの態様によれば、ＰＤＣＣＨ許可を使用して、基地局は、アンカーサブフレーム、ならびにユニキャストサブフレームとして割り振られている任意の追加のサブフレーム内で、システム情報ブロック（ＳＩＢ）情報とユニキャストＰＤＳＣＨデータとを送信し得、これらは、以下でより詳細に説明される。
【００５９】
[0069]図８は、ＬＴＥスタンドアロンブロードキャストのための例示的なサブフレーム送信フォーマットを示す。図示のように、（たとえば、「Ａ」と示された）アンカーサブフレームは、最初に送信され得、ＰＳＳ／ＳＳＳと、ＰＢＣＨと、ＳＩＢの物理ダウンリンク制御チャネル（ＰＤＣＣＨ）ベーススケジューリングと、（たとえば、アンカーサブフレームの後に送信されることになるユニキャストサブフレームの数を示す）ユニキャスト送信のＰＤＣＣＨベーススケジューリングとを含んでいることがある。いくつかの態様によれば、アンカーサブフレームの送信周期性（たとえば、８０〜１６０ｍｓ）は、図示のように、無線フレームと整合され得る。アンカーサブフレームが基地局によって送信された後、（たとえば、アンカーサブフレーム中のスケジューリング情報によって示される）ある数の（たとえば、「Ｕ」と示された）ユニキャストサブフレームがその後に続き得、それらは、アンカーサブフレーム中で送信された、ＰＳＳ／ＳＳＳおよび／またはＰＢＣＨの繰返し、およびＳＩＢのためのＰＤＣＣＨベーススケジューリング、ならびにユニキャスト送信／データを含んでいることがある。いくつかの態様によれば、ユニキャスト領域の持続時間は、基地局によって送信され、ＵＥによって監視される、マスタ情報ブロック中で定義され得る。さらに、図示のように、ユニキャストサブフレームに続いて、ある数の（たとえば、「Ｂ」と示された）ブロードキャストサブフレームが送信され得る。ブロードキャストサブフレームは、ＰＤＣＣＨ割振りを有しないことがあり、大きいサイクリックプレフィックス（ＣＰ）を有し得る。態様によれば、ブロードキャストサブフレームは、（ｅ）ＭＢＭＳデータなどのブロードキャストデータを含んでいることがある。
【００６０】
[0070]いくつかの態様によれば、ユニキャストサブフレームおよびブロードキャストサブフレームの正常な受信のために、基地局によって送信されるＭＩＢは、ユニキャストサブフレームおよびブロードキャストサブフレーム（たとえば、図８に示されているユニキャストサブフレームおよびブロードキャストサブフレーム）がいつスケジュールされるかを示す情報を含んでいる必要があり得る。たとえば、ＭＩＢは、システム帯域幅、システムフレーム番号、およびユニキャストサブフレーム送信とブロードキャストサブフレーム送信とのサブフレームパターンの指示を備え得る。さらに、ＴＤＤの場合、ＭＩＢは、以下でより詳細に説明されるように、たとえば、ユニキャスト領域のためのＤＬ／ＵＬ構成を備え得る。いくつかの態様によれば、ＭＩＢの受信時に、ＵＥは、（たとえば、追加のＳＩＢ情報およびユニキャストトラフィックの受信のための）ユニキャストサブフレームロケーション同様にブロードキャストサブフレームロケーションを決定し、決定されたロケーション内でこれらのサブフレームを監視し、受信／取得し得る
[0071]いくつかの態様によれば、ＰＳＳ／ＳＳＳ同期信号ならびにＰＢＣＨの繰返しは、たとえば、許容できる同期および収集性能メトリックに達するために、（たとえば、レガシーシステムと同様に）必要とされ得る。たとえば、第１のアンカーサブフレームとそれの繰返しとの間の知られているサブフレーム周期性を用いた、ＰＳＳ／ＳＳＳおよびＰＢＣＨの知られている固定数の繰返しが許容され得る。たとえば、図８を参照すると、アンカーサブフレームの第１の送信８０２とアンカーサブフレームの第２の（繰り返される）送信８０４との間の、（たとえば、ユニキャストサブフレーム内で送信される）ＰＳＳ／ＳＳＳおよびＰＢＣＨの固定数の繰返しが許容され得る。
【００６１】
[0072]いくつかの場合には、ＰＳＳ、ＳＳＳ、および／またはＰＢＣＨの各々についての繰返しの数は、たとえば、性能要件を満たすために、独立して変動し得る。いくつかの態様によれば、ＭＩＢの受信時に、ＵＥは、たとえば、受信性能を改善するために、ＰＳＳ／ＳＳＳおよびＰＢＣＨのインスタンス／繰返しの正確な構成および割振りを知り、それに応じて、ＵＥの受信機アルゴリズムを変更し得る。すなわち、ＵＥは、受信性能を改善するために、ＰＳＳ／ＳＳＳ／ＰＢＣＨの繰返しを監視および受信するために、ＵＥの受信機アルゴリズムを変更し得る。
【００６２】
[0073]ＭＩＢを受信することに加えて、ＵＥは、たとえば、図８に示されているように、アンカーサブフレームおよびユニキャストサブフレーム中で基地局によって送信され得る、１つまたは複数のＳＩＢ送信を収集し得る。いくつかの態様によれば、（１つまたは複数の）ＳＩＢ送信は、（たとえば、アンカーサブフレーム中で送信される）ＰＤＣＣＨ許可を介して、基地局によってスケジュールされ得、各ＳＩＢ（たとえば、ＳＩＢ１〜ＳＩＢ１７）について、アンカーサブフレーム周期性の倍数単位であり得る、異なる周期性がスケジュールされ得る。たとえば、ＳＩＢ１は、アンカーサブフレームの各送信内でスケジュールされ得るが、ＳＩＢ３は、アンカーサブフレームの１つおきの送信をスケジュールされ得る。
【００６３】
[0074]さらに、（１つまたは複数の）アンカーサブフレームおよび／またはユニキャストサブフレームは、他のタイプの信号を送信するために基地局によって使用され得る。たとえば、基地局は、レガシーｅＭＢＭＳブロードキャスト信号、単一セルポイントツーマルチポイント（ＳＣ−ＰＴＭ）信号、および／またはリーンキャリア（Lean Carrier）ニューキャリアタイプ（ＮＣ）を送信する、（１つまたは複数の）アンカーサブフレームおよび／またはユニキャストサブフレームを使用し得る。いくつかの場合には、サブスクリプション情報または認証／鍵情報は、（たとえば、サイドチャネルとして働く）これらのユニキャストサブフレーム中で、特定のユーザまたはユーザのグループに送られ得る。
【００６４】
[0075]以下で提示される態様は、スタンドアロンＬＴＥブロードキャスト同期のＴＤＤ実装形態についてのさらなる詳細を提供する。たとえば、いくつかの態様によれば、アンカーサブフレームを復号した後に、ＵＥは、上述のように、基地局ＤＬ／ＵＬサブフレーム指示によって与えられた指示に基づいて、ユニキャストサブフレームのＤＬ／ＵＬ構成を知り得る。たとえば、ＵＥは、構成可能な数のＤＬサブフレームと、後続の、ＤＬ部分、ガード間隔、およびＵＬ部分を含むことができる、スペシャルサブフレームと、後続の、構成可能な数のＵＬサブフレームとを知り得る。サブフレームのこのセットは、次いで、ブロードキャスト部分がその後に続き得る。
【００６５】
[0076]さらに、ユニキャスト領域のＵＬ部分内で、基地局は、セルごとに、構成可能な数のアップリンクサブフレームがおそらくＤＬブロードキャストサブフレームに変換されることをシグナリングし得、ブロードキャスト負荷に基づいて、各アンカーサブフレーム期間を動的にオンに切り替え得る。言い換えれば、しきい値量のブロードキャストデータが送信される必要がある場合、基地局は、いくつかのＵＬユニキャストサブフレームがブロードキャストサブフレームに変換されることになることをＵＥに示し得る。ＵＥは、追加のブロードキャストデータを受信するために、それに応じて、ＵＥの受信アルゴリズムを再構成し得る。いくつかの態様によれば、これは、サブフレーム構成がトラフィック負荷に基づいて動的に変えられ得る、ＬＴＥ  ＴＤＤ拡張干渉緩和およびトラフィック適応（ｅＩＭＴＡ：enhanced interference mitigation and traffic adaptation）と同様であり得る。
【００６６】
[0077]明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００６７】
[0078]本明細書で使用される「識別すること」という用語は、多種多様なアクションを包含する。たとえば、「識別すること」は、計算すること、算出すること、処理すること、導出すること、調査すること、ルックアップすること（たとえば、テーブル、データベースまたは別のデータ構造においてルックアップすること）、確認することなどを含み得る。また、「識別すること」は、受信すること（たとえば、情報を受信すること）、アクセスすること（たとえば、メモリ中のデータにアクセスすること）などを含み得る。また、「識別すること」は、解決すること、選択すること、選定すること、確立することなどを含み得る。
【００６８】
[0079]いくつかの場合には、フレームを実際に通信するのではなく、デバイスは、送信または受信のためにフレームを通信するためのインターフェースを有し得る。たとえば、プロセッサは、バスインターフェースを介して、送信のためにＲＦフロントエンドにフレームを出力し得る。同様に、フレームを実際に受信するのではなく、デバイスが、別のデバイスから受信されたフレームを取得するためのインターフェースを有し得る。たとえば、プロセッサは、バスインターフェースを介して、送信のためにＲＦフロントエンドからフレームを取得（または受信）し得る。
【００６９】
[0080]本明細書で開示される方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されていない限り、特定のステップおよび／またはアクションの順序および／または使用は、特許請求の範囲から逸脱することなく変更され得る。
【００７０】
[0081]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア／ファームウェア構成要素および／またはモジュールを含み得る。概して、図に示されている動作がある場合、それらの動作は、対応するカウンターパートのミーンズプラスファンクション構成要素を有し得る。
【００７１】
[0082]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア／ファームウェア構成要素および／またはモジュールを含み得る。概して、図に示されている動作がある場合、それらの動作は、任意の好適な対応するカウンターパートのミーンズプラスファンクション構成要素によって実行され得る。
【００７２】
[0083]たとえば、送信するための手段、再送信するための手段、送るための手段、および／または与えるための手段は、図２に示されている基地局１１０の送信プロセッサ２２０、ＴＸ  ＭＩＭＯプロセッサ２３０、（１つまたは複数の）変調器２３２ａ〜２３２ｔ、および／または（１つまたは複数の）アンテナ２３４ａ〜２３４ｔ、図２に示されているユーザ機器１２０の送信プロセッサ２６４、ＴＸ  ＭＩＭＯプロセッサ２６６、（１つまたは複数の）変調器２５４ａ〜２５４ｒ、および／または（１つまたは複数の）アンテナ２５２ａ〜２５２ｒ、ならびに／あるいは図５に示されているワイヤレスデバイス５０２の送信機５１０、ＤＳＰ５２０、および／または（１つまたは複数の）アンテナ５１６を含み得る、送信機を備え得る。
【００７３】
[0084]受信するための手段および／または取得するための手段は、図２に示されている基地局１１０の受信プロセッサ２３８、ＭＩＭＯ検出器２３６、（１つまたは複数の）復調器２３２ａ〜２３２ｔ、および／または（１つまたは複数の）アンテナ２３４ａ〜２３４ｔ、図２に示されているユーザ機器１２０の受信プロセッサ２５８、ＭＩＭＯ検出器２５６、（１つまたは複数の）復調器２５４ａ〜２５４ｒ、および／または（１つまたは複数の）アンテナ２５２ａ〜２５２ｒ、ならびに／あるいは図５に示されているワイヤレスデバイス５０２の受信機５１２、ＤＳＰ５２０、信号検出器５１８、および／または（１つまたは複数の）アンテナ５１６を含み得る、受信機を備え得る。
【００７４】
[0085]決定するための手段、実行するための手段、監視するための手段は、図２に示されている基地局１１０のコントローラ／プロセッサ２４０および／または他のプロセッサ、図２に示されているユーザ機器１２０のコントローラ／プロセッサ２８０および／または他のプロセッサ、ならびに／あるいは図５に示されているワイヤレスデバイス５０２のプロセッサ５０４を含み得る、処理システムを備え得る。
【００７５】
[0086]情報および信号は、様々な異なる技術および技法のいずれかを使用して表され得ることを、当業者は理解するであろう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【００７６】
[0087]さらに、本明細書の開示に関して説明された様々な例示的な論理ブロック、モジュール、回路、およびアルゴリズムステップは、電子ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェア／ファームウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００７７】
[0088]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【００７８】
[0089]本明細書の開示に関して説明された方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体は、プロセッサと一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７９】
[0090]１つまたは複数の例示的な設計では、説明された機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用コンピュータまたは専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれるべきである。
【００８０】
[0091]本開示の以上の説明は、当業者が本開示を作成または使用することができるように与えられたものである。本開示への種々の変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2019507991.tif 000003
【図２】
2019507991.tif 000004
【図３】
2019507991.tif 000005
【図４】
2019507991.tif 000006
【図５】
2019507991.tif 000007
【図６】
2019507991.tif 000008
【図７】
2019507991.tif 000009
【図８】
2019507991.tif 000010
【国際調査報告】
2019507991.tif 000011
2019507991.tif 000012
2019507991.tif 000013